(57)【特許請求の範囲】
【請求項１】
外線に接続された親機と、前記親機と無線により通信可能であって前記親機を介して前記外線に接続される１又は複数の子機とを備え、前記親機と少なくとも一つの前記子機と前記外線側の通話相手との間、若しくは複数の前記子機と前記外線側の通話相手との間で多者間通話が可能に構成されたコードレス電話装置において、前記多者間通話中に前記外線側から割り込み着信を受けたときにその割り込み着信相手と接続する割り込み着信接続方法であって、
前記多者間通話中に前記割り込み着信があった場合は、その旨を当該多者間通話中の各機器へ通知し、
前記通知に対して前記各機器のいずれか一つから応答があったとき、その応答があった前記親機又は前記子機と前記割り込み着信相手との二者間のみを通話可能に接続し、
前記二者間の接続が行われたとき、その二者間接続中の前記親機又は子機以外の前記コードレス電話装置を構成する前記各機器のうち少なくとも前記多者間通話を行っていた機器を、外線通話以外の機能を実行可能な状態である待機状態に設定し、
前記二者間の接続によって前記割り込み着信相手と通話を行っている前記機器において元の前記多者間通話時の外線側通話相手との通話に復帰するための割り込み解除操作がなされたときには、前記割り込み着信相手との接続を切り離して、少なくとも該割り込み解除操作がなされた前記機器を元の前記多者間通話時の外線側通話相手に再接続すると共に、当該コードレス電話装置を構成する各機器のうち少なくとも前記待機状態に設定されている機器に対して前記二者間の通話が終了したことを通知することにより、該待機状態に設定されている機器において元の前記多者間通話への復帰を促すための報知を行い、
前記報知に対して外部からの復帰操作がなされた場合は、該復帰操作がなされた前記機器の前記待機状態を解除すると共に、該復帰操作がなされた前記機器についても、元の前記多者間通話時の外線側通話相手に再接続する
ことを特徴とする割り込み着信接続方法。
【請求項２】
外線に接続された親機と、前記親機と無線により通信可能であって前記親機を介して前記外線に接続される１又は複数の子機とを備え、前記親機と少なくとも一つの前記子機と前記外線側の通話相手との間、若しくは複数の前記子機と前記外線側の通話相手との間で多者間通話が可能に構成されたコードレス電話装置であって、
前記多者間通話中に前記外線側から割り込み着信を受けたとき、その旨を当該多者間通話中の各機器へ通知する割り込み通知手段を備え、
前記親機は、
前記割り込み通知手段による通知に対して前記各機器のいずれかから応答があったときには、その応答があったいずれか一つの機器と前記割り込み着信相手との二者間のみを通話可能に接続し、該二者間の接続によって前記割り込み着信相手と通話を行っている前記機器において元の前記多者間通話時の外線側通話相手との通話に復帰するための割り込み解除操作がなされたときには、前記割り込み着信相手との接続を切り離して、少なくとも該割り込み解除操作がなされた前記機器を元の前記多者間通話時の外線側通話相手に再接続する、通話接続切替手段と、
前記通話接続切替手段による前記二者間の接続が行われたとき、その二者間接続中の前記親機又は子機以外の当該コードレス電話装置を構成する各機器のうち少なくとも前記多者間通話を行っていた機器に対して、該機器を待機状態に設定するための待機要求を行う待機要求手段と、
前記通話接続切替手段により前記割り込み着信相手との接続が切り離されて元の前記多者間通話時の外線相手との再接続がなされたとき、当該コードレス電話装置を構成する前記各機器のうち少なくとも前記待機状態に設定されている機器に対して前記二者間の通話が終了したことを通知する二者間通話終了通知手段と、
を備え、
前記親機及び子機は、前記待機要求手段による待機要求を受けたとき、外線通話以外の機能を実行可能な状態である前記待機状態に自身を設定する待機状態設定手段と、
前記通話接続切替手段による前記二者間の接続によって自身が前記割り込み着信相手と通話を行っている場合に外部からの前記割り込み解除操作を受け付ける割り込み解除操作手段と、
前記多者間通話から前記待機状態へ設定された後に前記二者間通話終了通知手段からの通知を受けたとき、元の前記多者間通話への復帰を促すための報知を行う多者間通話復帰報知手段と、
前記多者間通話復帰報知手段による報知に対する外部からの復帰操作を受け付ける復帰操作手段と、
前記復帰操作手段による前記復帰操作がなされたときに自身の前記待機状態を解除する待機状態解除手段と、
を備え、
前記通話接続切替手段は、前記復帰操作手段による前記復帰操作がなされたときは、その復帰操作がなされた前記親機又は子機についても、元の前記多者間通話時の外線側通話相手に再接続する
ことを特徴とするコードレス電話装置。
【請求項３】
請求項２記載のコードレス電話装置であって、
前記待機状態において実行可能な前記外線通話以外の機能として、少なくとも、前記割り込み着信相手と二者間の通話を行っている機器以外の他の機器との間で相互に内線通話を行う機能を有する
ことを特徴とするコードレス電話装置。
【請求項４】
請求項２又は３記載のコードレス電話装置であって、
前記子機は、前記待機状態設定手段によって前記待機状態に設定されたときに、その旨を報知する待機状態報知手段を備える
ことを特徴とするコードレス電話装置。
【請求項５】
請求項２〜４いずれかに記載のコードレス電話装置であって、
前記親機及び子機は、自身以外の他の機器が前記割り込み着信相手と前記二者間接続されているときに、その二者間の通話に参加するための外部からの通話参加操作を受け付ける通話参加操作手段を備え、
前記通話接続切替手段は、前記通話参加操作手段による前記通話参加操作がなされたとき、前記二者間の接続に対し、更にその通話参加操作がなされた前記親機又は子機を通話可能に接続する
ことを特徴とするコードレス電話装置。
【請求項６】
請求項２〜５いずれかに記載のコードレス電話装置であって、
前記親機及び子機は、前記通話接続切替手段による前記二者間の接続によって自身が前記割り込み着信相手と通話を行っている際に、外線通話を終了するための外部からの終話操作を受け付ける終話操作手段を備え、
前記通話接続切替手段は、前記終話操作手段による前記終話操作がなされたとき、外線側との接続を切り離す
ことを特徴とするコードレス電話装置。
【請求項７】
請求項６記載のコードレス電話装置であって、
前記親機は、前記通話接続切替手段によって前記外線側との接続が切り離されたとき、当該コードレス電話装置を構成する各機器のうち少なくとも前記待機状態に設定されている機器に対して外線通話が終了したことを通知する終話通知手段を備え、
前記親機及び前記子機は、自身が前記待機状態に設定されているときに前記終話通知手段からの通知を受けたとき、自身の前記待機状態を解除する
ことを特徴とするコードレス電話装置。
【請求項８】
請求項２〜７いずれかに記載のコードレス電話装置であって、
前記割り込み着信には、当該割り込み着信相手先を示す割り込み相手情報が含まれており、
前記親機及び前記子機は、前記多者間通話中に前記割り込み着信を受けた際、その割り込み着信に含まれている前記割り込み相手情報を表示する表示手段を備える
ことを特徴とするコードレス電話装置。
【発明の詳細な説明】
【技術分野】
【０００１】
本発明は、親機と子機と外線との間、若しくは複数の子機と外線との間で同時通話（多者間通話）を行う機能を備えたコードレス電話装置、及び、多者間通話中に他の外線からの割り込み着信があった場合にその割り込み着信側と接続する割り込み着信接続方法に関する。
【背景技術】
【０００２】
従来より、親機と、この親機と無線通信により接続される子機とを備えたコードレス電話装置が広く利用されている。そして、このようなコードレス電話装置として、例えば特許文献１に記載のように、親機と子機と外線（外線通話相手）との間で三者間通話ができる機能を備えたものが知られている。また、子機を複数備えたコードレス電話装置においては、２つの子機と外線との間で三者間通話を行うこともできる。或いは、三者間通話はもちろん四者以上の間でも同時に通話が可能な多者間通話機能を備えたコードレス電話装置も既に実現可能である。
【０００３】
特に近年、コードレス電話装置においても従来のアナログ方式からデジタル方式へと移行しつつあり、デジタル方式のコードレス電話装置の場合はアナログ方式と比べて多者間通話機能を実現しやすいことから、このような多者間通話機能を備えたコードレス電話装置も徐々に普及していくことが予想される。
【特許文献１】特開平１１−２２５１８７号公報
【発明の開示】
【発明が解決しようとする課題】
【０００４】
ところで、通話中の電話回線へ他の外線相手先から着信があった場合に、交換機がその電話回線へ割り込み着信信号を送出し、利用者がそれに応答すると元の相手先との通話が一旦保留されて新たな外線相手先との通話が可能となる、いわゆるキャッチホンサービスが知られている。そして、上述した多者間通話が可能なコードレス電話装置においても、キャッチホンサービスを利用して、多者間通話中に新たな外線相手先からの割り込み着信を受けるようにすることができる。
【０００５】
しかしながら、従来の多者間通話においては、例えば親機と子機と外線との三者間通話の場合、その三者間で通話中に他の外線相手先から割り込み着信があってそれに親機又は子機が応答した場合、元の外線相手との通話が一旦保留され、割り込んだ相手先（割り込み相手先）と親機と子機との三者間通話に移行する。そのため、割り込み相手先に違和感を与えてしまうという問題がある。
【０００６】
即ち、三者通話中に割り込み着信が入り、それに親機又は子機が応答すると、その新たな割り込み相手先との三者間通話に移行するわけだが、通常、割り込み相手先は、電話をかけた相手側で親機・子機の双方と接続されることは想定していない。親機又は子機のいずれか（つまりただ一人の相手）が応答することを想定するのが普通である。にもかかわらず、電話をかけた結果、すでに相手側では親機及び子機の双方が通話状態であっていきなり三者間通話状態に入っていくことになる。そのため、割り込み相手先としては、そのような想定していなかった状態に対して違和感を持ってしまうのである。
【０００７】
本発明は上記課題に鑑みなされたものであり、多者間通話機能を備えたコードレス電話装置において、多者間通話中に他の外線相手先からの割り込み着信に応答した場合に、その割り込み相手先に違和感を与えないようにすることを目的とする。
【課題を解決するための手段】
【０００８】
上記課題を解決するためになされた請求項１記載の発明は、外線に接続された親機と、その親機と無線により通信可能であって親機を介して外線に接続される１又は複数の子機とを備え、親機と少なくとも一つの子機と外線側の通話相手との間、若しくは複数の子機と外線側の通話相手との間で多者間通話が可能に構成されたコードレス電話装置において、多者間通話中に外線側から割り込み着信を受けたときにその割り込み着信相手と接続する割り込み着信接続方法であり、多者間通話中に割り込み着信があった場合は、その旨を当該多者間通話中の各機器へ通知し、通知に対して各機器のいずれか一つから応答があったとき、その応答があった親機又は子機と割り込み着信相手との二者間のみを通話可能に接続し、二者間の接続が行われたとき、その二者間接続中の親機又は子機以外のコードレス電話装置を構成する各機器のうち少なくとも多者間通話を行っていた機器を、外線通話以外の機能を実行可能な状態である待機状態に設定する。
また、二者間の接続によって割り込み着信相手と通話を行っている機器において元の多者間通話時の外線側通話相手との通話に復帰するための割り込み解除操作がなされたときには、割り込み着信相手との接続を切り離して、少なくとも該割り込み解除操作がなされた機器を元の多者間通話時の外線側通話相手に再接続すると共に、当該コードレス電話装置を構成する各機器のうち少なくとも待機状態に設定されている機器に対して二者間の通話が終了したことを通知することにより、該待機状態に設定されている機器において元の多者間通話への復帰を促すための報知を行い、その報知に対して外部からの復帰操作がなされた場合は、該復帰操作がなされた機器の待機状態を解除すると共に、該復帰操作がなされた機器についても、元の多者間通話時の外線側通話相手に再接続する。
【０００９】
つまり、多者間通話中に割り込み着信があると、その旨が、コードレス電話装置を構成する各機器（親機及び子機）のうち多者間通話中の各機器へ通知される。そして、その通知に対して多者間通話中のいずれか一つの機器が応答すると、その応答を行った機器（親機又は子機）のみが、割り込み着信相手と接続されて二者間の通話が可能になるのである。
【００１０】
従って、請求項１記載の割り込み着信接続方法によれば、多者間通話中に割り込み着信があったとき、それに応答した機器のみがその割り込み着信相手と接続されるため、背景技術で説明したように割り込み着信相手がいきなり複数の相手と接続されるといったことがなく（つまり、いきなり割り込み着信相手を含む多者間通話に入ることがなく）、割り込み着信相手に違和感を与えないようにすることが可能となる。
また、割り込み解除操作がなされたとき、少なくともその割り込み解除操作がなされた親機又は子機は、元の外線通話相手との通話に復帰することが可能となる。
また、待機状態へ移行していた各機器は、割り込み着信相手との接続切り離し後にすぐに元の多者間通話へ復帰させず、ユーザ等による復帰操作がなされた機器を元の外線通話相手に接続するため、ユーザの意志に応じた適切な接続状態を構築することが可能となる。
【００１１】
なお、ここでいう外線とは、一般の電話回線網はもちろん、ＩＳＤＮ回線や光回線など、音声通話のための信号を伝送可能なあらゆる通信回線を含む。また、ここでいう「機器」とは、コードレス電話装置を構成する親機又は子機を意味する。
【００１２】
上記請求項１に記載の発明は、具体的には、例えば請求項２に記載の構成により実現できる。即ち、請求項２に記載の発明は、外線に接続された親機と、その親機と無線により通信可能であって親機を介して外線に接続される１又は複数の子機とを備え、親機と少なくとも一つの子機と外線側の通話相手との間、若しくは複数の子機と外線側の通話相手との間で多者間通話が可能に構成されたコードレス電話装置であって、多者間通話中に外線側から割り込み着信を受けたとき、その旨を当該多者間通話中の各機器へ通知する割り込み通知手段を備える。
【００１３】
そして、親機は、割り込み通知手段による通知に対して各機器のいずれかから応答があったときには、その応答があったいずれか一つの機器と割り込み着信相手との二者間のみを通話可能に接続し、該二者間の接続によって割り込み着信相手と通話を行っている機器において元の多者間通話時の外線側通話相手との通話に復帰するための割り込み解除操作がなされたときには、割り込み着信相手との接続を切り離して、少なくとも該割り込み解除操作がなされた機器を元の多者間通話時の外線側通話相手に再接続する、通話接続切替手段と、この通話接続切替手段による二者間の接続が行われたとき、その二者間接続中の親機又は子機以外の当該コードレス電話装置を構成する各機器のうち少なくとも多者間通話を行っていた機器に対して、該機器を待機状態に設定するための待機要求を行う待機要求手段と、通話接続切替手段により割り込み着信相手との接続が切り離されて元の多者間通話時の外線相手との再接続がなされたとき、当該コードレス電話装置を構成する各機器のうち少なくとも待機状態に設定されている機器に対して二者間の通話が終了したことを通知する二者間通話終了通知手段とを備える。
そして、親機及び子機は、待機要求手段による待機要求を受けたとき、外線通話以外の機能を実行可能な状態である待機状態に自身を設定する待機状態設定手段と、通話接続切替手段による二者間の接続によって自身が割り込み着信相手と通話を行っている場合に外部からの割り込み解除操作を受け付ける割り込み解除操作手段と、多者間通話から待機状態へ設定された後に二者間通話終了通知手段からの通知を受けたとき、元の多者間通話への復帰を促すための報知を行う多者間通話復帰報知手段と、多者間通話復帰報知手段による報知に対する外部からの復帰操作を受け付ける復帰操作手段と、復帰操作手段によ記復帰操作がなされたときに自身の待機状態を解除する待機状態解除手段と、を備え、通話接続切替手段は、復帰操作手段による復帰操作がなされたときは、その復帰操作がなされた親機又は子機についても、元の多者間通話時の外線側通話相手に再接続する。
【００１４】
上記構成のコードレス電話装置においては、多者間通話中に割り込み着信があってそれにいずれかの機器（多者間通話中の親機又は子機）が応答したとき、通話接続切替手段が、その応答した機器と割り込み着信相手との二者間を接続し、割り込み着信に応答しなかった他の機器については、少なくともその二者間接続の時点では接続しない。また、元の外線通話相手との通話も一旦保留または終了される。そのため、請求項１記載の発明と同様、割り込み着信相手に違和感を与えないようにすることが可能となる。
また、割り込み着信により二者間通話に移行した後も、他の機器は、待機状態に移行することで、設定範囲内での各種機能を実行できるようになる。
また、割り込み解除操作がなされたとき、少なくともその割り込み解除操作がなされた親機又は子機は、元の外線通話相手との通話に復帰することが可能となる。
また、割り込み着信相手との接続切り離し後にすぐ元の多者間通話へ復帰させるのではなく、多者間通話から待機状態へ移行していた各機器に対しては、まず、元の多者間通話への復帰を促し、それに対してユーザ等による復帰操作がなされたときに、その復帰操作がなされた機器を元の外線通話相手に接続する。そのため、ユーザの意志に応じた適切な接続状態を構築することが可能となる。
【００１５】
なお、割り込み通知手段は、例えば親機が備えていてもよいし、また例えば、親機及び子機とは別に設けられるものであってもよい。また、割り込み通知手段からの通知を受けたときにその旨を報知する割り込み報知手段と、この割り込み報知手段による報知に対する外部からの応答操作を受け付ける割り込み応答操作手段とを備えた構成としてもよい。割り込み報知手段の具体例としては、例えば、ディスプレイへの表示、表示灯点灯、音声案内、受話器でのトーン鳴動など、多者間通話中の各機器において通話中の各ユーザが割り込み着信を知ることができるものであれば何でもよい。割り込み応答操作手段についても、例えばキースイッチ、パネルスイッチなど、割り込み着信に対してユーザが応答意志を示すことができるものであれば何でもよい。
【００１６】
【００１７】
待機要求は、換言すれば、多者間通話を行っていた機器に対しては「一旦中止するから待機するように」との意味合いの要求であり、また、通話中でない他の機器に対しては「（割り込み着信相手との）外線通話中のため新規外線発信は待機するように」との意味合いの要求である。そして、この待機要求を受けることで、他の機器は、新規の外線通話はできないものの、二者間通話を阻害しない範囲内で各種機能を実行可能な待機状態に移行する。各種機能の具体例としては、例えば、機器内に登録された各種データの編集作業や、二者間通話中の機器以外の機器同士による内線通話など、種々のものが考えられる。
請求項３記載の発明は、請求項２記載のコードレス電話装置であって、待機状態において実行可能な外線通話以外の機能として、少なくとも、割り込み着信相手と二者間の通話を行っている機器以外の他の機器との間で相互に内線通話を行う機能を有するものである。
【００１８】
【００１９】
上記請求項２又は３記載のコードレス電話装置においては、更に請求項４記載のように、子機は、待機状態設定手段によって待機状態に設定されたときにその旨を報知する待機状態報知手段を備えたものであるとよい。待機状態に設定された旨の報知の具体例としては、例えば、ディスプレイによる表示や表示灯点灯、報知音、音声案内等が挙げられる。
【００２０】
従って、上記構成のコードレス電話装置によれば、ユーザは、二者間通話中の機器以外の他の機器を使用しようとする際、待機状態報知手段による報知によって待機状態である（つまりだれかが外線通話中である）ことを容易に知ることができる。
【００２１】
なお、待機状態報知手段は、子機に限らず親機も備えていてもよい。つまり、親機が多者間通話に参加中に子機が割り込み着信に応答して親機自身が待機状態に移行したとき、親機自身もその旨を報知するようにしてもよい。
【００２２】
二者間通話への移行後は、例えば、引き続きその二者間のみの通話に限定するようにしてもよいが、場合によっては、二者間通話中の機器以外の他の機器が、その二者間通話へ参加したいという状況、或いは参加する必要性が生じるかもしれない。
【００２３】
そこで、例えば請求項５記載のように、親機及び子機は、自身以外の他の機器が割り込み着信相手と二者間接続されているときに、その二者間の通話に参加するための外部からの通話参加操作を受け付ける通話参加操作手段を備えるとよい。そして、通話接続切替手段は、通話参加操作手段による通話参加操作がなされたとき、二者間の接続に対して、更にその通話参加操作がなされた親機又は子機を通話可能に接続するようにするとよい。
【００２４】
即ち、少なくとも割り込み着信時については、割り込み着信相手をいきなり多者間通話状態に入らせて違和感を与えてしまうのを防ぐために二者間のみの接続にする必要があるものの、その後については、状況に応じて、割り込み着信相手が違和感を持たないように（例えば割り込み着信相手の意志で、或いは割り込み着信相手の承諾を得て）多者間通話に移行することもできるのである。
【００２５】
従って、上記構成のコードレス電話装置によれば、割り込み着信による二者間通話への移行後も、ユーザが必要に応じて他の機器で通話参加操作を行うことにより、その機器を二者間通話へ参加させることが可能となるので、使い勝手が向上する。
【００３２】
一方、多者間通話から割り込み着信相手との通話に切り替わる際、或いは切り替わった後、元の多者間通話に参加していた外線相手が自ら通話を終了することも考えられる。つまり、割り込み着信相手との通話終了後に必ずしも元の外線通話相手との通話に復帰する必要があるとは限らない。
そこで、請求項２〜５いずれかに記載のコードレス電話装置は、例えば請求項６記載のように、親機及び子機が、通話接続切替手段による二者間の接続によって自身が割り込み着信相手と通話を行っている際に外線通話を終了するための外部からの終話操作を受け付ける終話操作手段を備え、通話接続切替手段は、その終話操作手段による終話操作がなされたときに外線側との接続を切り離すように構成することもできる。
このように構成されたコードレス電話装置によれば、割り込み着信相手との通話が終了したとき、外線側との接続（外線通話）状態を完全に切り離し、新たな外線通話に備えることが可能となる。
そしてこの場合、例えば請求項７に記載のように、親機は、通話接続切替手段によって外線側との接続が切り離されたとき、当該コードレス電話装置を構成する各機器のうち少なくとも待機状態に設定されている機器に対して外線通話が終了したことを通知する終話通知手段を備え、更に親機及び子機は、自身が待機状態に設定されているときにその終話通知手段からの通知を受けたときは自身の待機状態を解除するよう構成することができる。
このように構成することで、割り込み着信によって待機状態に移行されていた各機器も、終話通知を受けて待機状態を解除することにより、新たな外線通話に備えることが可能となる。
【００３３】
【００３４】
【００３５】
【００３６】
【００３７】
そして、割り込み着信に当該割り込み着信相手先を示す割り込み相手情報が含まれている場合、上述した請求項２〜７いずれかに記載のコードレス電話装置は、例えば請求項８に記載のように、親機及び前記子機が、多者間通話中に割り込み着信を受けた際、その割り込み着信に含まれている割り込み相手情報を表示する表示手段を備えるようにするとよい。このような構成により、多者間通話中に割り込み着信があったとき、割り込み着信相手を特定することができるため、多者間通話中の親機又は子機のうちどの機器にてその割り込み着信に応答すべきかを容易に判断することができ、割り込み着信に応答すべきユーザによる応答が確実にできるようになる。
【発明を実施するための最良の形態】
【００３８】
以下に、本発明の好適な実施形態を図面に基づいて説明する。
（１）電話システムの概略構成
図１は、本実施形態の電話システムを示す概略構成図である。図１に示す如く、本実施形態の電話システムは、電話回線網（外線）１００にコードレス電話装置１が接続され、このコードレス電話装置１から電話回線網１００を介して複数の外線相手（第１の外線相手１０１、第２の外線相手１０２，・・・）のいずれか一人と通話できるよう構成されている。電話回線網１００の中には交換機１０５が設けられ、この交換機１０５にて、コードレス電話装置１と外線相手との接続切替等が行われる。
【００３９】
コードレス電話装置１は、電話回線網１００に直接接続される親機１０と、この親機１０と無線回線を介して相互に通信可能な複数の子機（第１の子機５０、第２の子機９０、・・・）とを備えている。各子機５０，９０は、親機１０を介して電話回線網１００側へ接続されることになる。
【００４０】
また、コードレス電話装置１は、親機１０と各子機５０，９０，・・・のいずれか一つと外線側の通話相手一人との三者間、若しくはいずれか二つの子機と外線側の通話相手一人との三者間で通話が可能な、三者間通話機能を備えている。
【００４１】
更に、コードレス電話装置１は、外線相手との一対一の通話中、或いは上記三者間通話中に、他の外線相手からの割り込み着信を受け付けることが可能である（即ち、既述のキャッチホンサービスを利用可能である）。そのため、外線通話中に割り込み着信があった場合は、それに応答するための所定の操作（詳細は後述）することで、それまでの外線相手との通話を一旦保留し、割り込み着信相手と通話を行うことができる。
【００４２】
（２）コードレス電話装置の構成
次に、コードレス電話装置１を構成する親機１０及び各子機５０，９０，・・・の装置構成を概略説明する。なお、本実施形態では、各子機５０，９０，・・・はいずれも物理的には全く同じ構成をしているため、子機の構成は、代表として第１の子機５０（以下単に「子機５０」ともいう）について説明する。
【００４３】
図２に、コードレス電話装置１を構成する親機１０の斜視図、図３に、コードレス電話装置１を構成する子機５０の正面図を示す。図２に示すように、親機１０には、その側部に、親機１０本体から取り外した状態で使用する送受話器であるハンドセット（Ｈ／Ｓ）１２が取り付けられている。さらに、本体上面には、各種機能に関連する情報を表示するためのディスプレイ１３、相手側の電話番号を入力するためのダイヤルボタン１４ａ、ディスプレイ１３に表示されるメニュー画面等で選択するときに操作される選択ボタン１４ｂ、留守電メッセージ等を再生するときに操作される再生ボタン１４ｃ，外線通話中に保留状態にして外線相手側へ保留メロディーを流したり各子機５０，９０，・・・と内線通話を行う際に操作される保留ボタン１４ｄ、外線通話中の割り込み着信に対して応答するときに操作されるキャッチボタン１４ｅなどの、各種操作ボタン１４（図４参照）が備えられている。尚、ディスプレイ１３は、表示画面を背面から照明するバックライト付の液晶ディスプレイ（ＬＣＤ）である。
【００４４】
一方、ハンドセットの形状をなす子機５０には、図３に示すように、内部に設けられたマイク（図示略）へ音声を入力するための送話口５１、内部に設けられたスピーカ（図示略）から着信音や通話相手の音声等を外部に出力するための受話口５２、各種機能に関連する情報を表示するためのディスプレイ５３、相手側の電話番号を入力するためのダイヤルボタン５４ａ、外線通話を開始するときに操作される外線通話ボタン５４ｂ、通話を終了するときに操作される切ボタン５４ｃ、外線通話中に保留状態にして外線相手側へ保留メロディーを流したり親機１０と内線通話を行う際に操作される保留ボタン５４ｄ、外線通話中の割り込み着信に対して応答する際や内線同士の通話（交互通話）を行う際に操作されるキャッチボタン１４ｅ、ディスプレイ５３に表示されるメニュー画面等で選択するときに操作される選択ボタン５４ｆなどの、各種操作ボタン５４（図４参照）が備えられている。尚、ディスプレイ５３は、表示画面を背面から照明するバックライト付の液晶ディスプレイ（ＬＣＤ）である。
【００４５】
次に、コードレス電話装置１の電気的構成について、図４に基づいて説明する。図４に示すように、親機１０は、親機１０全体の動作を制御する制御部２１、ハンドセット１２、ディスプレイ１３や操作ボタン１４等からなるユーザインターフェース部（以下「ユーザＩ／Ｆ」と称す）１５、音声信号を入出力する音声入出力部２３、予め記憶された各種音声信号に基づく音声を再生する再生部２５、各子機５０，９０，・・・との間で音声信号を含めた各種信号を無線通信により送受信する無線通信部２７、電話回線網１００を経由して伝送される音声信号を入出力するＮＣＵ（ｎｅｔｗｏｒｋ  ｃｏｎｔｒｏｌ  ｕｎｉｔ）２９、親機１０内部における音声信号の伝送経路を切り換える経路切換部３１などを備えている。
【００４６】
これらのうち制御部２１は、種々のデータを格納するＲＡＭ２１ａと、電力が供給されない状態でも記憶されたデータを保持可能なＥＥＰＲＯＭ２１ｂを備えている。そして、ＥＥＰＲＯＭ２１ｂに、後述する三者間通話中の各処理（図６〜図９）を含む当該コードレス電話装置１の各種機能を実現するためのプログラムが格納されている。なお、相手先の名前と電話番号とが親機１０側で登録される親機電話帳を記憶するための記憶領域や、親機１０側でのアラーム設定時刻を記憶するための記憶領域なども、このＥＥＰＲＯＭ２１ｂに設けられている。
【００４７】
音声入出力部２３は、スピーカ２３ａ、マイク２３ｂおよびこれらを駆動する駆動回路２３ｃを備え、スピーカ２３ａから音声信号に基づく音声を出力する以外に、スピーカ２３ａおよびマイク２３ｂを送受話器として、いわゆるハンズフリー通話を行えるように構成されている。
【００４８】
再生部２５は、着信を受けた際に利用される呼出音、音声通話を保留する際に利用される保留音、設定された時刻になった旨を報知するためのアラーム音などの音声信号を記憶し、制御部２１からの指令を受けて、記憶されている音声信号を再生する。再生された音声信号は、スピーカ２３ａやハンドセット１２内のスピーカ（図示略）から適宜出力される。
【００４９】
また経路切換部３１は、通話を開始するための操作が行われた場合に、親機１０が外部との音声信号の入出力に利用する伝送経路をハンドセット１２，音声入出力部２３，無線通信部２７のいずれか一つ又又は双方に切り換える。具体的には、ハンドセット１２が親機１０本体から取り外された場合は、伝送経路をハンドセット１２側に切り換え、ユーザＩ／Ｆ１５の操作ボタン１４によりハンズフリー通話を開始するための操作が行われた場合は、伝送経路を音声入出力部２３に切り換え、子機５０により通話を開始するための操作（操作ボタン５４による操作）が行われた場合には、伝送経路を無線通信部２７に切り換える。
【００５０】
また、既述の通り、コードレス電話装置１は三者間通話機能を備えている。そのため、例えば親機１０と子機５０と外線相手との三者間通話が行われる際は、経路切換部３１は、伝送線路をハンドセット１２と無線通信部２７の双方を電話回線網１００側に接続する。また例えば、二つの子機５０，９０と外線相手との三者間通話が行われる際は、親機１０において、無線通信部２７を介して各子機５０，９０と通信可能に接続される。そして、経路切換部３１が無線通信部２７へ切り換える（接続する）ことにより、各子機５０，９０と外線相手との間で三者間通話が可能となる。
【００５１】
更に、外線通話中に他の外線相手から割り込み着信があった場合は、当該コードレス電話装置１における外線通話中の各機器（親機１０又は各子機５０，９０，・・・の少なくとも一つ）にて、割り込み着信があった旨を知らせる報知（割り込み着信音の出力やディスプレイ１３への表示）がなされる。
【００５２】
即ち、割り込み着信があるとその旨が親機１０の制御部２１へ通知される。そして、親機１０が外線通話中であった場合は親機１０のハンドセット１２から割り込み着信を知らせる割り込み着信音が出力されると共に、ディスプレイ１３にもその旨の表示がなされる。一方、子機５０が外線通話中であった場合は、親機１０の制御部２１が無線通信部２７を介してその外線通話中の子機５０へ割り込み通知コマンドを送出する。このコマンドを子機５０が受信すると、子機５０にて、送受話部６３からの割り込み着信音の出力やディスプレイ５３への表示がなされる。なお、割り込み着信信号には、トーン信号のほか、割り込み相手情報として割り込み着信相手の電話番号も含まれている。そして、外線通話中に割り込み着信を受けた場合は、その割り込み着信相手の電話番号もディスプレイに表示される。
【００５３】
そして、割り込み着信に対して何れかの機器が応答（キャッチボタンを操作）すると、経路切換部３１は、交換機１０５へ割り込み応答パルスを出力してそれまで通話中であった外線相手との通話を一旦保留状態にさせ、割り込み着信に応答した一つの機器をその割り込み着信相手と接続する。
【００５４】
また、三者間通話中に割り込み着信があって、それに親機１０又は各子機５０，９０，・・・のいずれか（三者間通話中の機器）が応答した場合、経路切換部３１は、その応答した機器と割り込み着信相手とを接続すると共に、他の三者間通話中であった機器については、外線側との接続を一旦切り離す。つまり、割り込み着信に応答したいずれか一つの機器のみが割り込み着信相手と通話可能な二者間通話に移行し、他の機器は保留状態になるのである。
【００５５】
次に、子機５０は、子機５０全体の動作を制御する制御部６１と、スピーカとマイクおよびこれらを駆動する駆動回路からなる送受話部６３と、ディスプレイ５３および操作ボタン５４からなるユーザＩ／Ｆ５７と、予め記憶された各種音声信号に基づく音声を再生する再生部６５と、再生部６５により再生された音声を出力するスピーカおよびスピーカを駆動する駆動回路からなるスピーカ部６７と、親機１０（の無線通信部２７）との間で音声信号を含めた各種信号を無線通信により送受信する無線通信部６９と、子機５０全体に電源を供給する電池（二次電池）７１と、充電台８０が備える充電用端子８２と電気的に接続するための充電用端子５５と、充電用端子５５への電圧印加を検出するとともに、充電用端子５５を介して充電台８０から供給される電源電圧により電池７１を充電する充電回路７５と備えている。充電台８０は、外部電源に接続され、外部電源から供給される電力を適宜変換して子機５０へ供給する。
【００５６】
制御部６１は、種々のデータを格納するＲＡＭ６１ａと、電力が供給されない状態でも記憶されたデータを保持可能なＥＥＰＲＯＭ６１ｂを備えている。
そして、ＥＥＰＲＯＭ６１ｂに、後述する図１０の処理を含む当該子機５０の各種機能を実現するためのプログラムが格納されている。なお、相手先の名前と電話番号とが子機５０側で登録される子機電話帳を記憶するための記憶領域や、子機５０側でのアラーム設定時刻を記憶するための記憶領域なども、このＥＥＰＲＯＭ６１ｂに設けられている。
【００５７】
（３）三者間通話から二者間通話への移行シーケンス
次に、本実施形態の電話システムの動作例のうち、特に、三者間通話を行っている際に外線側から割り込み着信があった場合の動作について、図５のシーケンス図に基づいて説明する。
【００５８】
図５に示す如く、コードレス電話装置１における第１の子機５０と第２の子機９０，及び第１の外線相手１０１との間で三者間通話が行われている際、第２の外線相手１０２が当該コードレス電話装置１宛てに発呼されると、交換機１０５は、三者間通話中の電話回線に対して割り込み着信信号を送出する。この割り込み着信信号には、トーン信号のほか、割り込み着信の元（即ち第２の外線相手１０２）の電話番号も含まれている。
【００５９】
三者間通話中にこの割り込み着信信号が受信されると、親機１０は、三者間通話中の二つの子機５０，９０に対して割り込み通知コマンドを送出する。これにより、三者間通話中の二つの子機５０，９０では、割り込み着信があった旨の音声（割り込み着信音）が受話口５２から（詳細にはその内部のスピーカから）出力されると共に、割り込み着信元の電話番号のディスプレイ５３への表示等が行われる。これにより、各子機５０，９０にて多者間通話を行っていたユーザは、割り込み着信が入ってきたことを認識する。
【００６０】
この割り込み着信に対して、第１の子機５０で通話中のユーザが割り込み応答操作（キャッチボタン５４ｅの操作）を行うと、第１の子機５０から親機１０へ割り込み応答コマンドが送出され、これを受けた親機１０が電話回線網１００側へ（詳細には交換機１０５へ）割り込み応答パルスを送出する。
【００６１】
親機１０からの割り込み応答パルスを受けた交換機１０５は、それまで通話中であった第１の外線相手１０１を一旦保留状態とし、第２の外線相手１０２をコードレス電話装置１側へ接続する。これにより、第２の外線相手１０２と第１の子機５０とが通話可能に接続される。一方、割り込み着信に対して第１の子機５０が応答したとき、親機１０は、交換機１０５へ割り込み応答パルスを送出するだけでなく、割り込み着信に応答しなかった第２の子機９０に対して保留コマンドを送出する。これにより、第２の子機９０は保留状態とされる。
【００６２】
つまり、割り込み着信相手である第２の外線相手１０２と第１の子機５０との間でのみ通話が可能な二者間通話の状態となるのである。なお、二者間通話状態に移行後、必要に応じて第２の子機９０もその通話に参加することもできるが、それについては後で述べる。
【００６３】
その後、割り込み着信相手との通話を終えたユーザが第１の子機５０で割り込み解除操作（キャッチボタン５４ｅの操作）を行うと、第１の子機５０から親機１０へ割り込み着信解除コマンドが送出される。これを受けた親機１０は、交換機１０５へ割り込み解除パルスを送出すると共に、保留状態であった第２の子機９０へ呼出コマンドを送出する。
【００６４】
そのため、第２の子機９０では、呼出音が鳴動すると共に、割り込み着信相手との二者間通話が終了したことがディスプレイ５３に表示される。そして、第２の子機９０にてユーザが外線キー（外線通話ボタン）５４ｂを操作すると、親機１０へ保留解除コマンドが送出され、親機１０によって第１の外線相手１０１との接続がなされる。
【００６５】
これにより、第１の外線相手１０１と二つの子機５０，９０とが同時通話可能な元の三者間通話状態へ復帰することになる。
なお、割り込み着信による二者間通話の最中であっても、他の機器は、相互に通話できる。例えば、第１の子機５０と外線相手との二者間通話中は、親機１０と第２の子機９０との間で内線通話が可能であり、また、親機１０と外線相手との二者間通話中は、各子機５０，９０の相互間で内線通話（既述の交互通話）が可能である。
【００６６】
なお、本実施形態において、親機１０或いは各子機５０，９０，・・・の「保留状態」とは、本発明の「待機状態」に相当するものであり、他の機器が外線通話中であって新たな外線発呼ができない状態であることを意味する。特に、三者間通話中の機器が保留状態に設定される場合の「保留状態」には、元の三者間通話が一旦中止され、再びその三者間通話へ復帰するのを待っている状態という意味合いもある。
【００６７】
そして、保留状態中は、新たな外線通話はできないものの、例えば、機器内に登録された各種データの編集作業や、外線通話を行っている機器以外の他の機器同士による内線通話など、各機器が備える種々の機能を実行することができる。
【００６８】
（４）三者間通話中の割り込み着信応答処理
次に、三者間通話中に親機１０にて実行される三者間通話制御処理と、子機５０にて実行される子機制御処理について、図６〜図１０に基づいて説明する。まず、親機１０にて実行される三者間通話制御処理について、図６のフローチャートに基づいて説明する。
【００６９】
図６の三者間通話制御処理は、三者間通話が開始されたときに開始されるものであり、三者間通話開始後、まず割り込み着信があるか否かが判断される（Ｓ１１０）。割り込み着信がない間はこのＳ１１０の判断処理が繰り返されることになる。割り込み着信があった場合（Ｓ１１０：ＹＥＳ）、割り込み着信に対する各種処理に移るわけだが、その際、親機自身も三者間通話中であるか否かで処理内容が異なる。
【００７０】
まず、親機自身も三者間通話中であれば（Ｓ１２０：ＹＥＳ）、親機１０のハンドセット１２内のスピーカから割り込み着信音を発生させると共に、割り込み着信があった旨（具体的には、割り込み着信相手の電話番号）がディスプレイ１３に表示される（Ｓ１３０）。また、三者間通話中の子機に対しても、割り込み通知コマンドが送出される（Ｓ１４０）。この割り込み通知コマンドの送出により、三者間通話中の子機においても、同様に割り込み着信音の発生及び割り込み着信相手の電話番号表示が行われる（後述する図１０のＳ１２４０参照）。
【００７１】
そして、親機１０にて通話中のユーザがキャッチボタン１４ｅを操作することにより割り込み着信に応答すると（Ｓ１５０：ＹＥＳ）、回線（電話回線網１００）へ割り込み応答パルスが送出され（Ｓ１６０）、更に全ての子機に対して保留コマンドが送出される（Ｓ１７０）。この保留コマンドによって、全ての子機５０，９０，・・・は保留状態とされる（図１０のＳ１３４０参照）。また、回線への割り込み応答パルス送出によって、三者間通話中の外線相手との通話は一旦保留され、代わって割り込み着信の外線相手との通話が可能な状態となる。これにより、親機１０と割り込み着信相手との二者間通話状態に移行し（Ｓ１７５）、Ｓ１８０以降の処理に進むことになる。
【００７２】
尚、Ｓ１５０にて、親機自身で割り込み応答（キャッチボタン１４ｅの操作）がされていないと判断された場合は、Ｓ２００以降の処理に進むことになるが、これについては後で説明する。
【００７３】
一方、親機自身は三者間通話に参加せず二つの子機と外線相手との間で三者間通話が行われているときに割り込み着信があった場合は（Ｓ１２０：ＮＯ）、その三者間通話中の各子機へ割り込み通知コマンドが送出される（Ｓ１９０）。そして、各子機５０，９０，・・・のいずれかからコマンドを受信したか否かが判断され（Ｓ２００）、受信しなければ（Ｓ２００：ＮＯ）、再びＳ１１０に戻るが、いずれかの子機から何らかのコマンドを受信した場合は（Ｓ２００：ＹＥＳ）、それが割り込み応答コマンドであるか否かが判断される（Ｓ２１０）。
【００７４】
このとき、受信したコマンドが、割り込み着信に対して子機側でキャッチボタン５４ｅが操作されたことにより送出された割り込み応答コマンドでなければ（Ｓ２１０：ＮＯ）、その受信したコマンドに応じた各処理が行われて（Ｓ２８０）、再びＳ１１０に戻るが、受信したコマンドが割り込み応答コマンドであれば（Ｓ２１０：ＹＥＳ）、そのコマンドに含まれている子機情報が取得され（Ｓ２２０）、回線へ割り込み応答パルスが送出される（Ｓ２２５）。
【００７５】
そして、親機自身が三者間通話中であった場合は（Ｓ２３０：ＹＥＳ）、自身が保留状態に設定され（Ｓ２４０）、割り込み応答コマンドを送出した子機以外の全ての子機に対して保留コマンドが送出される（Ｓ２５０）。親機自身が三者間通話に参加していなかった場合も（Ｓ２３０：ＮＯ）、割り込み応答コマンドを送出した子機以外の全ての子機に対して保留コマンドが送出される（Ｓ２５０）。これにより、三者間通話中であった子機も外線との接続が解除されて保留状態となる。
【００７６】
なお、Ｓ２４０の処理にて親機１０が保留状態に設定されると、親機１０のディスプレイ１３には保留状態である旨の表示、即ち二者間通話が開始されるため新たな外線発呼ができない状態である旨の表示がなされる。また、Ｓ２５０の処理による保留コマンドを受信した各子機、即ち割り込み着信に応答した子機以外の他の子機においても、同様に保留状態である旨がディスプレイ５３に表示される（図１０のＳ１３５０参照）。
【００７７】
その後、割り込み応答コマンドを送出した子機と割り込み着信相手との通話パスが設定され（Ｓ２６０）、二者間通話が開始される。以後、Ｓ２７０の処理が実行されることになる。
【００７８】
次に、三者間通話中の割り込み着信に対して親機１０が応答し、親機１０と割り込み着信相手との二者間通話へ移行した後の、親機と割り込み着信相手との二者間通話処理（Ｓ１８０）の具体的内容について、図７に基づいて説明する。
【００７９】
親機１０による二者間通話に移行すると、まず、親機１０自身による終話操作が行われたか否かが判断される（Ｓ３１０）。親機１０での終話操作とは、ハンドセット１２をオンフック状態にすることである。
【００８０】
親機１０で終話操作が行われた場合は（Ｓ３１０：ＹＥＳ）、回線が切断されて外線通話（ここでは二者間通話）が終了され（Ｓ３２０）、保留状態中の全ての子機に対して終話コマンドが送出される（Ｓ３３０）。この終話コマンドにより、子機の保留状態は解除される（図１０のＳ１３９０参照）。これにより、コードレス電話装置１を構成する親機１０及び各子機５０，９０，・・・はいずれも、外線待ち受け状態となり、新たな外線発呼が可能となる。
【００８１】
一方、二者間通話中の親機１０で終話操作が行われなければ（Ｓ３１０：ＮＯ）、割り込み着信解除操作（キャッチボタン１４ｅの操作）がなされたか否かが判断される（Ｓ３４０）。キャッチボタン１４ｅが操作されなければ（Ｓ３４０：ＮＯ）、各子機５０，９０，・・・のいずれかからコマンドが受信されたか否かが判断され（Ｓ４７０）、受信されていない場合はＳ３１０に戻る。逆に、割り込み着信相手との通話が終了するなどして再びキャッチボタン１４ｅが操作された場合は（Ｓ３４０：ＹＥＳ）、回線へ割り込み解除パルスが送出され（Ｓ３５０）、三者間通話から保留状態へ移行されていた子機に対して呼出コマンドが送出される（Ｓ３６０）。これにより、割り込み着信相手との接続が切り離される。
【００８２】
そして、呼出コマンドに対する子機からの応答、即ち子機における外線キー５４ｂの操作を待ち（Ｓ３７０）、応答があれば（Ｓ３７０：ＹＥＳ）、その応答を行った子機の保留状態も解除されて（図１０のＳ１４１０からＳ１４５０への移行参照）、元の三者間通話の状態に復帰することになる。呼出コマンドに対する子機からの応答が一定時間継続した場合は（Ｓ３８０：ＹＥＳ）、親機１０と元の外線相手とが接続され、この二者間の通話に移行する（Ｓ３９０）。
【００８３】
その後、親機１０にて終話操作がなされた場合は（Ｓ４００：ＹＥＳ）、既述のＳ３２０以後の処理に進むが、終話操作がなされなければ（Ｓ４００：ＮＯ）、各子機５０，９０，・・・のいずれかからコマンドが受信されたか否かが判断される（Ｓ４１０）。そして、何らかのコマンドが受信された場合は（Ｓ４１０：ＹＥＳ）、そのコマンドに含まれている子機情報が取得され（Ｓ４２０）、更に、そのコマンドが、三者間通話から保留状態へ設定された子機からの外線コマンドであるか否かが判断される（Ｓ４３０）。
【００８４】
このとき、外線コマンドでなければ（Ｓ４３０：ＮＯ）、受信したコマンドの種類の応じた各処理がなされて（Ｓ４６０）再びＳ３９０に戻るが、外線コマンドであるならば（Ｓ４３０：ＹＥＳ）、その外線コマンドを送出した子機に対して通話パスを設定する（Ｓ４４０）。これにより、元の外線相手と親機１０に加え、外線コマンドを送出した子機を含めた、元の三者間通話へ移行することになる（Ｓ４５０）。なお、子機からの外線コマンドは、三者間通話から保留状態へ設定された子機において、外線キー５４ｂが操作（図１０のＳ１３７０参照）されることにより送出される。
【００８５】
親機１０と割り込み着信相手との二者間通話中に各子機５０，９０，・・・のいずれかからコマンドが受信された場合は（Ｓ４７０：ＹＥＳ）、そのコマンドに含まれている子機情報が取得され（Ｓ４８０）、更にそのコマンドが外線コマンドであるか否かが判断される（Ｓ４９０）。このとき、外線コマンドでなければ（Ｓ４９０：ＮＯ）、受信したコマンドの種類の応じた各処理がなされて（Ｓ５５０）再びＳ３１０に戻るが、外線コマンドであれば（Ｓ４９０：ＹＥＳ）、その外線コマンドを送出した子機に対して通話パスが設定され（Ｓ５００）、親機１０と割り込み着信相手にその子機を加えた三者間の通話へ移行する（Ｓ５１０）。
【００８６】
その後、親機１０にて割り込み着信解除操作（キャッチボタン１４ｅの操作）がなされたか否かが判断され（Ｓ５２０）、キャッチボタン１４ｅが操作されたならば（Ｓ５２０：ＹＥＳ）、回線へ割り込み解除パルスが送出され（Ｓ５３０）、元の外線相手との三者間通話に復帰する（Ｓ５４０）。キャッチボタン１４ｅが操作されなければ（Ｓ５２０：ＮＯ）、更に親機１０にて終話操作がなされたか否かが判断され（Ｓ５６０）、終話操作がなされなければＳ５２０に戻るが、終話操作がなされた場合は（Ｓ５６０：ＹＥＳ）、Ｓ３２０以降の処理に進んで外線通話が終了されることになる。
【００８７】
次に、三者間通話中の割り込み着信に対して子機が応答し、その子機と割り込み着信相手との二者間通話へ移行した後の、親機１０にて実行される子機と割り込み着信相手との二者間通話処理（図６のＳ２７０）の具体的内容について、図８に基づいて説明する。
【００８８】
子機と割り込み着信相手との二者間通話に移行すると、まず、親機１０自身が三者間通話から保留状態にされているか否かが判断され（Ｓ６１０）、自身が三者間通話からの保留中であるならば（Ｓ６１０：ＹＥＳ）、後述の図９の処理に移行する。親機１０自身は三者間通話を行っていなかったならば（Ｓ６１０：ＮＯ）、各子機５０，９０，・・・の何れかからコマンドが受信されたか否かが判断され（Ｓ６２０）、受信されなければ再びＳ６１０に戻るが、受信されたならば（Ｓ６２０：ＹＥＳ）、そのコマンドに含まれている子機情報が取得され（Ｓ６３０）、そのコマンドを送出した子機が割り込み着信相手との二者間通話を行っている子機であるか否かが判断される（Ｓ６４０）。
【００８９】
ここで、二者間通話中の子機からのコマンドであるならば（Ｓ６４０：ＹＥＳ）、更に、それが終話コマンドであるか否かが判断される（Ｓ６５０）。この終話コマンドは、外線通話中の子機において切ボタン５４ｃが操作されたときに送出されるコマンドである。終話コマンドであれば（Ｓ６５０：ＹＥＳ）、回線が切断されて外線通話（二者間通話）が終了され（Ｓ６６０）、保留状態中の全ての子機に対して終話コマンドが送出される（Ｓ６７０）。これにより、コードレス電話装置１全体が外線待ち受け状態となり、新たな外線発呼が可能となる。
【００９０】
二者間通話中の子機からのコマンドが終話コマンドでなければ（Ｓ６５０：ＮＯ）、更に、割り込み着信解除コマンドであるか否かが判断される（Ｓ６８０）。割り込み着信解除コマンドは、割り込み着信相手と通話中の子機において再びキャッチボタン５４ｅが操作されることによって送出されるコマンドである（図１０のＳ１３１０参照）。このとき割り込み着信解除コマンドでなければ、そのコマンドの種類に応じた各処理がなされて（Ｓ６９０）再びＳ６１０に戻るが、割り込み着信解除コマンドであれば（Ｓ６８０：ＹＥＳ）、回線へ割り込み解除パルスが送出され（Ｓ７００）、三者間通話から保留状態へ移行されていた子機に対して呼出コマンドが送出される（Ｓ７１０）。そして、呼出コマンドに対する子機からの応答、即ち子機における外線キー５４ｂの操作を待ち（Ｓ７２０）、応答があれば（Ｓ７２０：ＹＥＳ）、その応答を行った子機の保留状態も解除されて元の三者間通話の状態に復帰することになる。呼出コマンドに対する子機からの応答が一定時間継続した場合は（Ｓ７３０：ＹＥＳ）、割り込み着信相手と二者間通話を行っていた子機と元の外線相手とが接続され、この二者間の通話に移行する（Ｓ７４０）。
【００９１】
そして、各子機５０，９０，・・・のいずれかからコマンドが受信されたか否かが判断され（Ｓ７５０）、何らかのコマンドが受信された場合はそのコマンドに含まれている子機情報が取得され（Ｓ７６０）、更に、そのコマンドの種類が判定される（Ｓ７７０）。
【００９２】
この判定の結果、終話コマンドと判定された場合（つまり、二者間通話中の子機にて切ボタン５４ｃが操作された場合）、Ｓ６６０以降の処理によって外線通話が終了される。また、元々三者間通話を行っていた子機（現在は保留状態の子機）からの外線コマンドと判定された場合は、その子機に対して通話パスが設定され（Ｓ７９０）、元の三者間の通話へ移行する（Ｓ８００）。その他のコマンドと判定された場合は、そのコマンドに応じた各種処理が実行されて（Ｓ７８０）、Ｓ７４０に戻る。
【００９３】
一方、子機と割り込み着信相手との二者間通話中に受信したコマンドがその二者間通話中の子機からのものでなかった場合は（Ｓ６４０：ＮＯ）、外線コマンドであるか否かが判断される（Ｓ８１０）。このとき、外線コマンドでなければそのコマンドの種類に応じた各種処理が行われるが（Ｓ６９０）、外線コマンドであれば（Ｓ８１０：ＹＥＳ）、その外線コマンドを送出した子機に対して通話パスが設定され（Ｓ８２０）、現在の二者間通話に対して更にその外線コマンドを送出してきた子機を加えた三者間の通話へ移行する（Ｓ８３０）。
【００９４】
その後、各子機５０，９０，・・・のいずれかからコマンドが受信された場合は（Ｓ８４０：ＹＥＳ）、そのコマンドに含まれている子機情報が取得され（Ｓ８５０）、更にそのコマンドの種類が判定される（Ｓ８６０）。この判定の結果、終話コマンドであると判定された場合は、Ｓ６６０以降の処理により外線通話が終了する。また、割り込み着信解除コマンドであると判定された場合は、回線へ割り込み解除パルスが送出され（Ｓ８７０）、元の外線相手との三者間通話に復帰する（Ｓ８８０）。なお、図示は省略したが、他のコマンドが受信された場合はそのコマンドに応じた処理が行われる。
【００９５】
次に、Ｓ６１０の判定処理で肯定判定された場合の処理、即ち、親機１０が元々三者間通話に参加している際に、割り込み着信によって子機と割り込み着信相手との二者間通話に移行した場合の親機１０での処理について、図９に基づいて説明する。
【００９６】
この場合、まず外線通話操作がなされたか否かが判断される（Ｓ９１０）。保留状態中の親機１０における外線通話操作とは、例えば、オンフック状態であればハンドセット１２を取り上げてオフフック状態にすることであり、オフフック状態であれば、保留ボタン１４ｄを操作して保留状態を解除することである。
【００９７】
外線通話操作がなされた場合は（Ｓ９１０：ＹＥＳ）、親機１０自身の通話パスが設定され（Ｓ９２０）、割り込み着信相手との三者間通話状態へと移行する（Ｓ９３０）。その後のＳ９４０〜Ｓ９８０の処理については、図８のＳ８４０〜Ｓ８８０の処理と全く同じであるため、ここではその説明を省略する。
【００９８】
一方、子機と割り込み着信相手との二者間通話に移行後、親機１０にて外線通話操作がなされないときは（Ｓ９１０：ＮＯ）、いずれかの子機からコマンドが受信されたか否かが判断される（Ｓ９９０）。そして、受信されなければＳ９１０に戻るが、受信された場合は（Ｓ９９０：ＹＥＳ）、コマンドに含まれている子機情報を取得し（Ｓ１０００）、そのコマンドが終話コマンドであるか否かが判断される（Ｓ１０１０）。
【００９９】
このとき、終話コマンドであれば（Ｓ１０１０：ＹＥＳ）、Ｓ１０２０以降の処理により外線通話が終了されるが、終話コマンドでなければ（Ｓ１０１０：ＮＯ）、更に、割り込み着信解除コマンドであるか否かが判断される（Ｓ１０４０）。そして、割り込み着信解除コマンドでなければ、そのコマンドの種類に応じた各処理がなされて（Ｓ１１５０）再びＳ９１０に戻るが、割り込み着信解除コマンドであれば（Ｓ１０４０：ＹＥＳ）、回線へ割り込み解除パルスが送出され（Ｓ１０５０）、三者間通話から保留状態へ移行されている親機１０自身にて、割り込み着信相手との通話が終了したことを、割り込み解除の呼出（スピーカ２３ａからの音声出力等）やディスプレイ１３への表示によってユーザに報知する（Ｓ１０６０）。
【０１００】
そして、これらの報知に対する親機１０における応答（Ｓ９１０の外線通話操作と同じ）を待ち（Ｓ１０７０）、応答があれば（Ｓ１０７０：ＹＥＳ）、親機１０自身の保留状態が解除されて元の三者間通話の状態に復帰することになる。一定時間応答がなければ（Ｓ１０８０：ＹＥＳ）、割り込み着信相手と二者間通話を行っていた子機と元の外線相手とが接続され、この二者間の通話に移行する（Ｓ１０９０）。
【０１０１】
そして、親機１０自身にて外線通話操作がなされたか否かが判断され（Ｓ１１００）、なされた場合は（Ｓ１１００：ＹＥＳ）、自身の通話パスが設定されて外線と接続され（Ｓ１１１０）、元の三者間の通話へ移行する（Ｓ１１２０）。外線通話操作がなされない場合は（Ｓ１１００：ＮＯ）、更に、子機からのコマンドの有無が判断される（Ｓ１１３０）。そして、コマンドが受信された場合（Ｓ１１３０：ＹＥＳ）、そのコマンドが終話コマンドであれば（Ｓ１１４０：ＹＥＳ）、Ｓ１０２０に移行して外線通話が終了される。終話コマンドでなければ（Ｓ１１４０：ＮＯ）、そのコマンドの種類に応じた各種処理が実行されて（Ｓ１１５０）、Ｓ９１０に戻る。
【０１０２】
次に、外線通話中の各子機５０，９０，・・・にて実行される子機制御処理について、図１０に基づいて説明する。外線通話の開始によってこの子機制御処理が開始されると、まず、キー操作の有無が判断される（Ｓ１２００）。このキー操作とは、図３で示した子機の各種ボタン（操作ボタン５４；図４参照）の操作である。キー操作があれば（Ｓ１２００：ＹＥＳ）、操作されたキーに応じた各種処理がなされて（Ｓ１２１０）、再びＳ１２００に戻るが、キー操作がなかった場合は（Ｓ１２００：ＮＯ）、他の機器からコマンドが受信されたか否かが判断される（Ｓ１２２０）。
【０１０３】
ここで、何も受信されなければそのままＳ１２００に戻るが、コマンドが受信された場合は（Ｓ１２２０：ＹＥＳ）、それが割り込み通知コマンドであるか否かが判断される（Ｓ１２３０）。割り込み通知コマンドは、既述の如く、外線通話中に割り込み着信があった場合に親機１０から送出されるものである（図６のＳ１４０，Ｓ１９０参照）。
【０１０４】
割り込み通知コマンドが受信された場合（Ｓ１２３０：ＹＥＳ）、その旨を当該子機で外線通話中のユーザに報知するための、割り込み着信音の発生やディスプレイ５３への表示が行われる（Ｓ１２４０）。その後、その子機にて割り込み応答操作（即ちキャッチボタン５４ｅの操作）がなされたか否かが判断され（Ｓ１２５０）、割り込み応答操作がなされたならば（Ｓ１２５０：ＹＥＳ）、親機１０へ割り込み応答コマンドが送出される（Ｓ１２６０）。この割り込み応答コマンドの送出により、親機１０において、図６のＳ２１０〜Ｓ２６０の一連の処理がなされて、割り込み着信相手と当該子機との二者間通話へ移行する（Ｓ１２７０）。
【０１０５】
二者間通話への移行後、Ｓ１２００と同様にキー操作の有無が判断され（Ｓ１２８０）、キー操作がなされた場合は（Ｓ１２８０：ＹＥＳ）、更に、その操作が割り込み着信の解除操作（即ちキャッチボタン５４ｅの操作）であるか否かが判断される（Ｓ１２９０）。そして、キャッチボタン５４ｅの操作でなければ、操作されたキーに応じた各種処理がなされて（Ｓ１３００）、再びＳ１２００に戻るが、キャッチボタン５４ｅの操作であれば（Ｓ１２９０：ＹＥＳ）、親機１０へ割り込み着信解除コマンドを送出する（Ｓ１３１０）。これにより、親機１０から回線へ割り込み解除パルスが送出され、元の三者間通話の外線相手との通話に再び戻る（Ｓ１３２０）。
【０１０６】
一方、外線通話中に受信したコマンドが割り込み通知コマンドでなかった場合（Ｓ１２３０：ＮＯ）、保留コマンドであるか否かが判断される（Ｓ１３３０）。この保留コマンドは、三者間通話を行っている親機１０又は各子機５０，９０，・・・のいずれかがその三者間通話中の割り込み着信に応答することによって、親機１０から送出されるものである（図６のＳ１７０，Ｓ２５０参照）。
【０１０７】
そして、保留コマンドでなければ、そのコマンドの種類に応じた各種処理がなされて（Ｓ１４４０）、再びＳ１２００に戻るが、保留コマンドであれば（Ｓ１３３０：ＹＥＳ）、当該子機が保留状態へ設定され（Ｓ１３４０）、その旨がディスプレイ５３に表示される（Ｓ１３５０）。なお、外線通話が行われていない子機の場合は、ディスプレイ５３への表示に代えて（或いはそれに加えて）スピーカ部６７による音声報知を行うようにしてもよい。
【０１０８】
その後、コマンドが受信されることなく（Ｓ１３６０：ＮＯ）、外線キー５４ｂが操作された場合は（Ｓ１３７０：ＹＥＳ）、保留状態が解除される（Ｓ１４５０）。そして、この外線キー５４ｂの操作により親機１０へ外線コマンドが送出され、外線との通話パスが設定されるため、当該子機も割り込み着信相手との外線通話へ参加することができるようになる。
【０１０９】
一方、保留状態への移行後（Ｓ１３４０）、何らかのコマンドが受信された場合は（Ｓ１３６０：ＹＥＳ）、そのコマンドの種類が判定される（Ｓ１３８０）。そして、親機１０からの終話コマンドであれば、ディスプレイ５３の保留表示が消去されて保留状態が解除される（Ｓ１３９０）。これによりコードレス電話装置１における外線通話が全て終了され、新たな外線通話が可能な外線待ち受け状態へ移行する（Ｓ１４００）。
【０１１０】
また、受信されたコマンドが呼出コマンドであれば、スピーカ部６７にて呼び出し音が鳴動されると共に、割り込み着信相手との接続が切り離された旨の表示（言い換えれば、元の三者間通話への復帰を促す表示）がディスプレイ５３に表示される（Ｓ１４１０）。このとき、外線キー５４ｂが操作されれば（Ｓ１４２０：ＹＥＳ）、保留状態が解除されて三者間通話へ復帰する（Ｓ１４５０）。逆に、外線キー５４ｂの操作がなされないまま、親機１０からの呼出コマンドが途絶えた場合は（Ｓ１４３０：ＮＯ）、再びＳ１３５０に戻り、保留状態が継続される。
【０１１１】
なお、保留状態中は、外線通話を行っていない子機間同士で交互通話することができる。具体的には、例えば第１の子機５０から第２の子機９０へ内線通話したい場合、第１の子機５０にてまず保留ボタン５４ｄを操作し、ダイヤルボタン５４ａにて相手先（第２の子機９０）の内線番号を操作する。その後、ディスプレイ５３に所定の表示（例えば「マチウケチュウ」の表示）がされたら、キャッチボタン５４ｅを押して、第２の子機９０へ話をする。第２の子機９０では、自身の方から第１の子機５０へ話をしたい場合、同様にキャッチボタン５４ｅを押して話をすることになる。
【０１１２】
（５）本実施形態の効果
以上説明した本実施形態のコードレス電話装置１によれば、三者間通話中に割り込み着信があったとき、それに応答した機器（親機１０又は各子機５０，９０，・・・のいずれか一つ）のみがその割り込み着信相手と接続されるため、従来のように割り込み着信相手がいきなり複数の相手と接続されるといったことがなく（つまり、いきなり割り込み着信相手を含む三者間通話に入ることがなく）、割り込み着信相手に違和感を与えないようにすることができる。
【０１１３】
また、割り込み着信に対して三者間通話中の何れかの機器が応答すると、応答しなかった他の機器は保留状態になる。その場合、保留状態にされた機器は、新たな外線通話はできないものの他の機能・操作は行うことができる。また、外線キー５４ｂの操作（子機の場合）或いはハンドセット１２のオフフック操作等（親機１０の場合）により、保留状態の機器も割り込み着信相手との通話に参加することも可能である。
【０１１４】
そのため、割り込み着信のあった際はとりあえずそれに応答した機器だけが通話可能な二者間通話に移行するものの、その後、状況に応じて（例えば割り込み着信相手の意志で、或いは割り込み着信相手の承諾を得て）他の機器からもその割り込み着信相手との通話に参加することができ、使い勝手の良いコードレス電話装置が提供される。
【０１１５】
また、割り込み着信相手との二者間通話に移行すると、他の機器のディスプレイ１３（５３）には、その旨の表示（保留表示）がなされる。そのため、ユーザは、二者間通話中の機器以外の他の機器を使用しようとする際、ディスプレイ１３（５３）を見ることによって、保留状態中である（つまりだれかが外線通話中である）ことを容易に知ることができる。
【０１１６】
更に、割り込み着信相手との接続切り離し後にすぐ元の三者間通話へ復帰させるのではなく、三者間通話から待機状態へ移行していた各機器に対しては、まず、元の三者間通話への復帰を促し、それに対してユーザ等による復帰操作がなされたときに、その復帰操作がなされた機器を元の外線通話相手に接続するようにしている。そのため、保留状態にされた機器で三者間通話を行っていたユーザは、割り込み着信相手と他のユーザ間の二者間通話が終わるまで気兼ねなく他の作業をすることができ、二者間通話終了後は、親機１０からの呼出によってすぐに元の三者間通話に復帰することができる。
【０１１７】
（６）変形例
本発明の実施の形態は、上記実施形態に何ら限定されるものではなく、本発明の技術的範囲に属する限り種々の形態を採り得ることはいうまでもない。
【０１１８】
例えば、上記実施形態では、三者間通話が可能なコードレス電話装置１について説明したが、四者以上の通話（もちろん外線側は一人）が可能なコードレス電話装置に対しても本発明の適用が可能であり、上記実施形態と同様の処理を行うことができる。
【０１１９】
また、三者間通話から割り込み着信による二者間通話への移行後、再び元の外線通話相手との通話に復帰したとき、割り込み着信により三者間通話から保留状態へ移行していた機器については、親機１０からの呼び出し（呼出コマンド）に応じたときに外線通話へ復帰させるようにしたが、割り込み着信相手との通話が終了するまで他の機器のユーザが子機を持ったまま（或いはハンドセット１２を持ったまま）待っているような場合は、割り込み着信相手との接続が切り離されたときに強制的に元の三者間通話に復帰させるようにしてもよい。
【０１２０】
このようにすることで、割り込み着信によって三者間通話から保留状態に移行していた各機器は、割り込み着信相手との接続切り離し後、遅滞なく元の三者間通話へ復帰することが可能となり、ユーザの状態や意志に応じた適切な接続状態を構築することが可能となる。
【０１２１】
また、上記実施形態では、割り込み着信相手との二者間通話に移行する際、元の三者間通話の外線相手はそのまま保留状態にされ、割り込み着信相手との通話が終了するのを待っていることを前提として説明したが、三者間通話から割り込み着信相手との通話に切り替わる際、或いは切り替わった後、元の三者間通話に参加していた外線相手が自ら通話を終了することも考えられる。つまり、割り込み着信相手との通話終了後に必ずしも元の外線通話相手との通話に復帰する必要があるとは限らない。
【０１２２】
そこで、割り込み着信通話が終わってキャッチボタンが操作され、回線側へ割り込み解除パルスが送出された後に、外線側との接続状態を判断し、元の外線相手が既に電話を切っている（交換機１０５にて保留状態にされていない）場合は、そのまま回線切断して終話すると共に、保留中の他の機器に対して終話コマンドを送出するようにしてもよい。
【０１２３】
また、上記実施形態では、コードレス電話装置１と外線相手との間の回線として、一般的な公衆電話交換回線網(アナログ回線)である電話回線網１００を例に挙げて説明したが、本発明の適用はこの電話回線網１００に限定されないことはいうまでもない。例えば、ＩＳＤＮ回線網、光ファイバによる光回線網、更にはインターネット回線網（ＩＰ電話網）など、音声通話が可能な種々の回線において本発明を適用可能である。
【図面の簡単な説明】
【０１２４】
【図１】実施形態の電話システムを示す概略構成図である。
【図２】コードレス電話装置を構成する親機の斜視図である。
【図３】コードレス電話装置を構成する子機の正面図である。
【図４】コードレス電話装置の電気的構成を表すブロック図である。
【図５】三者間通話を行っている際に外線側から割り込み着信あった際の動作を表すシーケンス図である。
【図６】親機にて実行される三者間通話制御処理を表すフローチャートである。
【図７】図６の三者間通話制御処理における、Ｓ１８０の「親機と割り込み着信相手との二者間通話処理」の内容を表すフローチャートである。
【図８】図６の三者間通話制御処理における、Ｓ２７０の「子機と割り込み着信相手との二者間通話処理」の内容を表すフローチャートである。
【図９】図８の処理におけるＳ６１０の判断処理で肯定判定された場合に実行される処理の内容を表すフローチャートである。
【図１０】子機にて実行される子機制御処理を表すフローチャートである。
【符号の説明】
【０１２５】
１…コードレス電話装置、１０…親機、１２…ハンドセット、１３，５３…ディスプレイ、１４，５４…操作ボタン、１４ａ，５４ａ…ダイヤルボタン、１４ｂ，５４ｆ…選択ボタン、１４ｃ…再生ボタン、１４ｄ，５４ｄ…保留ボタン、１４ｅ，５４ｅ…キャッチボタン、２１…制御部、２３…音声入出力部、２３ａ…スピーカ、２３ｂ…マイク、２５…再生部、２７，６９…無線通信部、３１…経路切換部、５０…第１の子機、５１…送話口、５２…受話口、５４ｂ…外線キー（外線通話ボタン）、５４ｃ…切ボタン、６１…制御部、６３…送受話部、６５…再生部、６７…スピーカ部、９０…第２の子機、１００…電話回線網、１０１…第１の外線相手、１０２…第２の外線相手、１０５…交換機
【図１】
0004483779.tif 000002
【図２】
0004483779.tif 000003
【図４】
0004483779.tif 000004
【図５】
0004483779.tif 000005
【図６】
0004483779.tif 000006
【図７】
0004483779.tif 000007
【図８】
0004483779.tif 000008
【図９】
0004483779.tif 000009
【図１０】
0004483779.tif 000010
【図３】
0004483779.tif 000011